(57)【要約】【課題】天候に左右されず、害虫も防げる野菜や花を栽培できる栽培プランターを提供する。【解決手段】栽培プランター１の水抜き穴７付き容器２と、それに丁番３で連結する枠体４は合成樹脂素材とするとともに、前記枠体４の内側に設けた突縁９の左右対向側に保持穴１０を設け、該保持穴１０に、コの字状に曲げ形成して成る二本の支持フレーム１１を差し込んでから、該支持フレーム１１に、覆い部材となる透明カバーを被せて後に保持枠棒１４を前記支持フレーム１１の根元まで差し込んで成る栽培プランター１とする。【選択図】図１
2012070720.tif 000002
【特許請求の範囲】
【請求項１】
天候に左右されず、害虫も防げる野菜や花を栽培できる栽培プランターであって、前記する栽培プランターの水抜き穴付き容器と、それに丁番で連結する枠体は合成樹脂素材とするとともに、前記枠体の内側に設けた突縁の左右対向側に保持穴を設け、該保持穴に、コの字状に曲げ形成して成る二本の支持フレームを差し込んでから、該支持フレームに覆い部材となる透明カバーを被せて後、保持枠棒を前記支持フレームの根元まで差し込んで成る構成を特徴とする栽培プランター。
【請求項２】
前記する覆い部材が、ネットカバーで成る請求項１に記載する栽培プランター。
【発明の詳細な説明】
【技術分野】
【０００１】  本発明は、プランターで野菜や花の栽培がし易く、かつ簡易な構造にして温室及び防虫機能を有する栽培プランターに関する。
【背景技術】
【０００２】  従来より、花や野菜の栽培が好きな人は多く、狭くても自宅の庭を利用したりする人が増え、最近は限られた大きさのプランターを用いて野菜や花など栽培する人が増えて居ることは知られている。【０００３】  また、室内などのように限られた空間で、土や腐葉土を用いて野菜や花、苗などの栽培ができる温室式の技術が提供されている。（例えば、特許文献１参照）
【先行技術文献】
【特許文献１】実用新案登録第３０４１６８７号公報
【０００４】
【発明の概要】
【発明が解決しようとする課題】
【０００５】  従来のプランター栽培は、一般には長方形状のプラスチック容器に土を入れたプランターをベランダや玄関周りなどに置いて栽培するが、通常その上を覆う部材は使用しないため、強い雨や風など受けると栽培植物によっては傷んだり、虫がついて枯れてしまったり、また種を蒔いて芽が出たばかりのものは、寒い冬場は育ちにくく育てにくいなどの不便や欠点がある。【０００６】  さらに実用新案登録第３０４１６８７号公報に開示される技術は、底座に、その上方を覆うことができる透明な固定カバーと可動カバーとで構成し、その可動カバーを開閉自在とすることで水や肥料をやるのが便利であり、空気は流通させるが、水や虫の進入はさせない通気孔がカバー側面に設けたプランターである。【０００７】  しかしこのプランターは、底座面の上部に設けられている固定カバーと可動カバーも透明ではあるがビニールやネット素材のように柔らかで折りたためないので、保管や輸送の場合は場所を取る上、成形により形成する必要があるので製造コストにも高くなる。また持ち運びの取っ手なども無いので、外から室内又は他の場所に移動するにも運びにくい温室式プランターの技術である。
【課題を解決するための手段】
【０００８】  本発明は、前記に示すような従来の不便や欠点を解消するために成されたもので、請求項１においては、栽培プランターの水抜き穴付き容器と、それに丁番で連結する枠体は合成樹脂素材とするとともに、前記枠体の内側に設けた突縁の左右対向側に保持穴を設け、該保持穴に、コの字状に曲げ形成して成る二本の支持フレームを差し込んでから、該支持フレームに覆い部材となる透明カバーを被せて後、保持枠棒を前記支持フレームの根元まで差し込んで成る栽培プランターとする。【０００９】  請求項２においては、前記する覆い部材がネットカバーで成る栽培プランターとする。
【発明の効果】
【００１０】  本発明によるプランター栽培セットは、広口の容器に開閉自在な枠体を取り付け、その枠体に左右に差し込んだ二組の支持フレームに、保温のための透明カバー又は害虫を防ぐネットカバーを被せることができるので、若芽の頃は寒さを防止できる温室効果を得られ、かつ成長した後は害虫防止ができるネットカバーに取り替えて栽培することができるコンパクトで機能的な栽培プランターを提供する。【００１１】  また開閉する枠体に差し込んだ支持フレームや覆い部材となる透明カバーやネットカバーは取り外しできるので、全部取り外して室内に持ち込んだ場合は、野菜や花を観葉植物やミニ花壇として楽しむこともできるユニークにして、天候や害虫に左右されないプランターである。
【図面の簡単な説明】
【００１２】
【図１】本発明による栽培プランターの一部を開放した状態の斜視図である。
【図２】本発明による栽培プランターを示す側面図である。
【図３】本発明による栽培プランターを分解した状態を示す斜視図である。
【図４】本発明による栽培プランターの覆い部材となる他の実施例を示す斜視図である。
【図５】本発明による栽培プランターで野菜を栽培した状態を示す参考図である。
【発明を実施するための形態】
【００１３】  本発明における栽培プランターを図１に示す一部開放した斜視図と、図２に示す栽培プランターの側面視図、図３に示す覆い部材の分解斜視図と、図４に示す他の覆い部材となるネットカバーを示す斜視図、図５に示す栽培プランターで野菜を栽培する状態を示す参考図で説明する。
【００１４】  本発明による栽培プランター１は、栽培に必要な土や腐葉土を入れる容器２と、その容器２の端部に、丁番３で連結して開閉する枠体４を合成樹脂素材で形成するとともに、前記枠体４に着脱できる２種類の覆い部材５が組み合わせられる栽培プランター１とする。
【００１５】  以下、その構成を詳細に説明する。まず前記する容器２は、適度な深さで、かつ広口を成す大きさの底面６に４個の水抜き穴７，７を設けるとともに、底面６の下部四隅に低い軸足８，８を設けた容器２を合成樹脂で一体成型して成る矩形状の容器２を形成する。
【００１６】  次に、その容器２の一方端部には、前記する容器２の広口と同じ大きさの枠体４を開閉自在に丁番３で取り付けるとともに、その枠体４の内側に突縁９，９を設け、かつ突縁９の短辺側の角部寄りに対向側と向かい合う部位４か所に小さな保持穴１０，１０を各二つ設け、その保持穴１０，１０にコの字状に曲げたワイヤー又は合成樹脂素材による支持フレーム１１，１１を差し込んで成る枠体４と前記容体２を形成する。尚、図３における丁番３の芯棒は図示しているが符号は省略する。
【００１７】  さらに、以上のように形成して成る容器２の前部中ほどの縁部と、その対向側の枠体４に、突起と掛け留板による二つで一組とする係止具１２，１２を取り付けるとともに、前記枠体４の突縁９に設けた左右二つの保持穴１０，１０に差し込んだ二本の支持フレーム１１，１１に、ビニール等の透明カバー１３を被せて後、細い保持枠棒１４を根元まで差しこんで、覆い部材５となる透明カバー１４を固定して成るプランター栽培セット１を構成する。
【００１８】  以上のような栽培プランター１を形成するが、前記する覆い部材５は温室効果を得る透明カバー１３であるが、他の実施例として、図４に示すように細かい網目で成る防虫のためのネットカバー１５も採用できるものとする。
【００１９】  本発明による栽培プランター１は、浅くて広口の容器２の長辺に丁番３により開閉自在とする覆い部材５の枠体４を取り付けた栽培プランター１であるので、容器２に土や腐葉土を入れて種を蒔いた若芽の時は、図５に示すようにビニール等の透明カバー１３をセットすると、風雨を防いで温室生育を高める。また成長して大きくなった時は虫などの害虫を守るためのネットカバー１５に取り替えられる。さらに支持フレーム１１と覆い部材５は完全に取り外すこともできるので、室内に持ち込んで野菜や花を目でも観て楽しむこともできる。
【００２０】  本発明による透明カバー１３は透かして見えるが、太陽熱を取り込んでさらに温室効果を得るために黒色カバーでも差し支えない。また防虫ネットの網の目の大きさは問わない。加えて容器２と枠体４に取り付ける係止具は１２、突起と掛け留め板の組み合わせであるが、他のいずれの係止具でもよく、いずれも特に限定するものではない。
【符号の説明】
【００２１】１  栽培プランター
２  容器
３  丁番
４  枠体
５  覆い部材
６  底面
７  水抜き穴
８  軸足
９  突縁
１０  保持穴
１１  支持フレーム
１２  係止具
１３  透明カバー
１４  保持枠棒
１５  ネットカバー
Ａ  野菜
【図１】
2012070720.tif 000003
【図２】
2012070720.tif 000004
【図３】
2012070720.tif 000005
【図４】
2012070720.tif 000006
【図５】
2012070720.tif 000007